(57)【要約】【課題】排水性に優れ、保管時における装置内の衛生状態を良好に保ち、かつ、引き揚げ作業の労力を軽減することができる生物捕獲装置を提供する。【解決手段】箱型の生物捕獲装置１を構成する各ゴム製板のうち、生物が出入りするための入口孔１８を中央に備えた正面板１４の隅に、生物捕獲装置１の内部に通じる切り欠き部１９ａを形成し、右側面板１３の天板１０および底板１１と接する辺上に、それぞれ切り欠き部１９ｂを形成する。【選択図】        図１
2005124475.tif 000002
【特許請求の範囲】
【請求項１】
複数のゴム製板を組み合わせて箱型に構成される生物捕獲装置であって、
前記ゴム製板のうち、生物が出入りするための入口孔を備えた正面板および前記正面板と対向する背面板の少なくとも一方の隅に、前記生物捕獲装置の内部に通じる切り欠きが１つ以上形成されている
ことを特徴とする生物捕獲装置。
【請求項２】
さらに、前記正面板および前記背面板以外の側板の辺上に、前記切り欠きが１つ以上形成されている
ことを特徴とする請求項１記載の生物捕獲装置。
【請求項３】
前記ゴム製板の内側面は、前記切り欠きに向けて傾斜している
ことを特徴とする請求項１または２記載の生物捕獲装置。
【請求項４】
前記ゴム製板には、木板、鉄板または鉄棒からなる補強材が埋設されている
ことを特徴とする請求項１〜３のいずれか１項に記載の生物捕獲装置。
【発明の詳細な説明】
【技術分野】
【０００１】
本発明は、生物捕獲装置に関し、特に蛸等の水生生物を捕獲するための生物捕獲装置に関する。
【背景技術】
【０００２】
従来、海や河川等で魚介類を捕獲するために、罠を水中に仕掛けることが行なわれる。例えば、蛸を捕獲するためには、蛸が狭い所を好むという習性を利用して、複数の木製板を組み合わせた蛸箱を海中の一定深度まで沈める漁法が行なわれている。
しかし、木材は、海水による腐食等が発生し、耐久性に欠けるという問題があり、複数のゴム製板を組み合わせた生物捕獲装置が考案されるに至っている（例えば、特許文献１参照。）。
【０００３】
図１２は、このゴム製板を組み合わせた生物捕獲装置の外観を示す図である。
図１２に示すように、生物捕獲装置１００は、コードスクラップを補強材として練り込んだ複数のゴム製板（天板１０１、底板１０２、左側面板１０３、右側面板１０４、正面板１０５および背面板１０６）を組み合わせてビス１０７で隙間なく締め付けて固定することにより構成されている。正面板１０５には、蛸が入るための孔である入口孔１１０が形成され、背面板１０６には、ロープ１０９や紐等を接続するための紐孔１０８が形成される。そして、正面板１０５以外の板、例えば、天板１０１や右側面板１０４等には、海水等の液体を装置外へ排出するための水抜き孔１１１が形成されている。
【特許文献１】特許第３３６０６８５号
【発明の開示】
【発明が解決しようとする課題】
【０００４】
しかしながら、上記の構成では、水抜き孔の形成位置が不適切であれば、水抜き孔から十分に海水が排出されずに、装置内に留まってしまうおそれがある。そのため、陸上で保管する際に、海水が腐って悪臭を発生させたり、汚泥などが溜まって装置内で凝固したりする等、環境的、また、衛生的に好ましいといえない状況が起こりうる。
また、海水が十分に排出されなければ、装置内に留まる海水の分だけ装置が重くなるので、海中から生物捕獲装置を引き揚げて船に積み込む時の労力が大きくなる。
【０００５】
さらに、上記の生物捕獲装置では、製造段階において、ゴム等の弾性材にコードスクラップを練り込む工程が必要となるため、この練り込み工程において長時間を要したり、混練作業後に練り機械の清掃が必要となったり、製造工程が煩雑になるという問題もある。
ここで、補強材として特殊な材料を用いれば、コードスクラップを練り込まなくても、生物捕獲装置の剛性を確保することができるが、その材料費のために、製造コストが高くなるおそれがある。
【０００６】
そこで、本発明は、上記問題点に鑑みなされたものであり、排水性に優れ、保管時の装置内を清潔に保ち、かつ、引き揚げ作業の労力を軽減することができる生物捕獲装置を提供することを目的とする。
また、煩雑な製造工程を簡易にし、コストをかけることなく、強度に優れた生物捕獲装置を提供することを目的とする。
【課題を解決するための手段】
【０００７】
上記目的を達成するために、本発明に係る生物捕獲装置は、複数のゴム製板を組み合わせて箱型に構成される生物捕獲装置であって、前記ゴム製板のうち、生物が出入りするための入口孔を備えた正面板および前記正面板と対向する背面板の少なくとも一方の隅に、前記生物捕獲装置の内部に通じる切り欠きが１つ以上形成されていることを特徴とする。これによって、切り欠きが排水孔として機能し、排水効率が向上するので、引き揚げ作業時の労力が軽減される。また、保管時に装置内部を清潔に保つことができる。
【０００８】
ここで、さらに、前記正面板および前記背面板以外の側板の辺上に、前記切り欠きが１つ以上形成されているのが好ましい。これによって、左右の側板に設けられた切り欠きからも装置内の海水が排出されるので、排水効率が向上するという効果が発揮される。
さらに、前記ゴム製板の内側面は、前記切り欠きに向けて傾斜しているのが好ましい。これによって、優れた排水効率を発揮し、保管時に積み重ねておくだけで、切り欠きからの排水が行なわれるので、海中からの引き揚げ後の水抜き作業が不要となり、メンテナンスが容易な生物捕獲装置が実現される。
【０００９】
また、前記ゴム製板には、木板、鉄板または鉄棒からなる補強材が埋設されていることを特徴とする。これによって、製造コストを抑えながらも、生物捕獲装置の強度を向上させることができ、製造工程における煩雑な部分を省略して簡易にすることができる。
【発明の効果】
【００１０】
以上、説明したように、本発明に係る生物捕獲装置によれば、装置を構成する側板の隅または辺上に切り欠きを形成することで、切り欠きが排水孔として機能し、排水効率が向上するので、保管時における装置内部の衛生状態を清潔に維持することができる。
また、排水効率が向上することで、生物捕獲装置が海底に到達するのが早くなり、狙いをつけて生物捕獲装置を所望の位置へ投下することも容易となるとともに、引き揚げ作業に要する労力も軽減される。
【００１１】
さらに、生物捕獲装置を構成する各板に木材や鉄板等の補強材を埋設することで、装置に剛性を持たせているので、煩雑な混練工程を省略し、製造作業の簡素化を実現することができ、製造コストの増加を抑制することもできる。
【発明を実施するための最良の形態】
【００１２】
以下、本発明を実施するための最良の形態について詳細に説明する。
（実施の形態１）
まず、本発明の実施の形態１に係る生物捕獲装置について説明する。
図１は、本実施の形態１に係る生物捕獲装置の外観を示す図であり、図２は、生物捕獲装置を背面側から見た平面図である。
【００１３】
この生物捕獲装置１は、海中等に沈めて蛸等の水生生物を捕獲するための装置であり、ゴム等の弾性材を加硫して形成される天板１０、底板１１、左側面板１２、右側面板１３、正面板１４および背面板１５を組み合わせ、これらゴム製の各板をビス１６により係止させることによって構成され、内部が中空の直方体または立方体形状を有している。
天板１０は、生物捕獲装置１の上蓋となる板であり、底板１１は、生物捕獲装置１の底部となる板である。
【００１４】
左側面板１２は、生物捕獲装置１の左側面を構成する板であり、右側面板１３は、生物捕獲装置１の右側面を構成する板である。この左側面板１２および右側面板１３は、天板１０および底板１２と接する辺に、所定の間隔で半円形状の切り欠き部１９ｂが形成されている。
正面板１４は、生物捕獲装置１の正面を構成する板であり、中央部には、生物（例えば、蛸）が入り込むための入口孔１８を備え、四隅には、三角形状の切り欠き部１９ａが形成されている。また、正面板１４の表面には、生物捕獲装置１を把持する際の滑り止めとして作用し、正面板１４の表裏面を判別しやすくするためのソーカット加工（正面板１４におけるクロス線）が施されている。
【００１５】
ロープ１７は、生物捕獲装置１を海中から引き揚げるためのロープや紐等の牽引具であり、図２に示すように、背面板１５に設けられた紐孔１５ａから、ロープ１７の一端が通され、その一端を結んで紐孔１５ａの径よりも大きい結び目を作ることによって、生物捕獲装置１に取り付けられる。
図２に示す背面板１５は、正面板１４と対向し、生物捕獲装置１の背面を構成する板であり、中央部には、ロープ１７を取り付けるための紐孔１５ａと、生物捕獲装置１の内部に生物が捕獲されたか否かを確認するための覗き孔１５ｂとが形成されている。また、背面板１５の四隅には、正面板１４と同様に、三角形状の切り欠き部１９ａが形成されている。
【００１６】
ビス１６は、組み合わされた各板を固定するための止め具であり、海水に浸されても錆びにくいステンレス等の材質から構成される。なお、止め具として、釘やボルト等を用いることとしてもよい。
入口孔１８は、生物を生物捕獲装置１の内部に入り込ませるための開口孔であり、菱形、楕円形または四角形等の形状とされ、生物が入り込むことができる適度の大きさを有する。
【００１７】
切り欠き部１９ａは、正面板１４の四隅から５〜５０ｍｍ程の部分を斜め方向に切断して形成した切り欠き部分であり、各板を組み合わせて生物捕獲装置１を構成した際に、排水孔（正面板１４および背面板１５における細かいクロス線）として機能する。
切り欠き部１９ｂは、左側面板１２および右側面板１３の天板１０および底板１２と接する辺を、所定の間隔を空けて、直径５〜５０ｍｍ程の半円形状に切断して形成した切り欠き部分であり、各板を組み合わせて生物捕獲装置１を構成した際に、排水孔（右側面板１３における細かいクロス線）として機能する。
【００１８】
ここでは、切り欠き部１９ａが、正面板１４および背面板１５に形成され、切り欠き部１９ｂが、左側面板１２および右側面板１３に形成されるとしているが、どの板にどの切り欠きを形成するかは、自由に選択することができる。例えば、図３は、背面板１５の変形例を示す平面図であるが、このように、背面板１５ｃにおいて、上方の天板１０と接する辺では左右の隅を切り欠いて、切り欠き部１９ａを形成し、下方の底板１１と接する辺には、切り欠き部１９ｂと同様に、所定の間隔で半円形状の切り欠き部１９ｃを形成することとしてもよい。また、切り欠きの形状も、四隅を切り欠いた三角形状や半円形状に限られず、直径５０φ程度の円形状であってもよいし、辺を三角形状または四角形状に切り欠いたものであってもよい。
【００１９】
図４は、右側面板１３の平面図である。
図４に示すように、切り欠き部１９ｂは、天板１０および底板１２と接するそれぞれの辺に、右側面板１３の長手方向に向かって所定の間隔で形成されている。なお、正面板１４および背面板１５と接するそれぞれの辺に、右側面板１３の高さ方向に向かって所定の間隔で、ビス１６を螺嵌するためのビス孔１６ａが設けられているが、個々のビス孔１６間に切り欠き部１９ｂが形成されるとしてもよい。
【００２０】
また、天板１０と接する辺の切り欠き部１９ｂと、底板１２と接する辺の切り欠き部１９ｂは、右側面板１３の高さ方向における中心線（図中の一点鎖線）で対称となる位置に形成される。
ここで、右側面板１３の切り欠き部１９ｂと左側面板１２の切り欠き部１９ｂについても、同様に、生物捕獲装置１の幅方向における中心線で対称となる位置に形成されることとし、この左右の板に設けられた切り欠き部１９ｂによって、生物捕獲装置１を幅方向に貫通する貫通孔を構成するのが好ましい。
【００２１】
また、正面板１４および背面板１５に形成される切り欠き部１９ａについても、同様に、生物捕獲装置１の長手方向における中心線で対称となる位置に形成され、この前後の板に設けられた切り欠き部１９ａによって、生物捕獲装置１を長手方向に貫通する貫通孔を構成するのが好ましい。
このように構成された生物捕獲装置１は、海中から引き揚げられる際に、正面板１４の入口孔１８だけでなく、天板１０と底板１１を除く前後左右の側板（左側面板１２、右側面板１３、正面板１４および背面板１５）に設けられた切り欠き部１９ａおよび１９ｂからも海水が排出されるので、排水効率に優れ、引き揚げ作業の労力を軽減することができる。また、このように、排水効率に優れていることによって、保管時に海水が装置内部に留まることがなくなるので、装置内部を清潔に保つことができる。
【００２２】
さらに、背面板１５に切り欠き部１９ａを設けることによって、生物捕獲装置１を海中へ投入する際に、覗き孔１５ｂだけでなく、この切り欠き部１９ａからも海水が排水されるので、海底に到達するのが早くなり、また、狙いをつけて所望の位置へ投下することも容易となる。
このように本実施の形態１に係る生物捕獲装置１によれば、生物捕獲装置１を構成する各側板の辺または隅に切り欠き部を形成することにより、排水効率を向上させているので、保管時における装置内部の衛生状態を良好に維持することができ、また、引き揚げ作業時における労力の軽減を図ることができる。
【００２３】
（実施の形態２）
次に、本発明の実施の形態２に係る生物捕獲装置について説明する。
本実施の形態２に係る生物捕獲装置は、複数のゴム製の板を組み合わせて構成され、装置を構成する各側板の辺または隅に切り欠き部が形成されている点で、上記実施の形態１に係る生物捕獲装置と共通するが、各板に薄板状の補強材が埋設されている点で、上記実施の形態１に係る生物捕獲装置と異なる。以下、この異なる点を中心に説明する。
図５は、本実施の形態２に係る生物捕獲装置の外観を示す斜視図である。
【００２４】
この生物捕獲装置２は、上記実施の形態１と同様に、天板２０、底板２１および各側板（左側面板２２、右側面板２３、正面板２４および背面板）を組み合わせて、これらゴム製の各板をビス２６により係止させることによって構成されるが、天板２０に、補強材２０ａが埋設されている点で上記実施の形態１と異なる。なお、正面板２４に形成されている入口孔２８および切り欠き部２９ａ、また、右側面板２３に形成されている切り欠き部２９ｂについても、上記実施の形態１と比して、その形状を異にしているが、機能的な相違点はない。
【００２５】
図６は、生物捕獲装置２の部分拡大図である。
図６に示すように、天板２０には、薄板状の補強材２０ａが複数埋設されており、補強材２０ａは、その全体が天板２０を形成するゴムによって被覆されている。ここで、天板２０の厚みは、１４ｍｍ程度であり、補強材２０ａの厚みは、３〜６ｍｍ程度である。
なお、ここでは、天板２０に補強材２０ａが埋設されているとしているが、その他の各板にも補強材２０ａを埋設するのが好ましく、少なくとも正面板２４に補強材２０ａを埋設しておくのが好ましい。
【００２６】
また、補強材２０ａは、図６に示したように、複数枚に分割したものであってもよいし、各板に全体が埋設される寸法の一片の板であってもよい。
図７は、補強材２０ａの斜視図である。
この補強材２０ａは、板状の木材や鉄板等であり、ゴムによって全体が被覆されることによって腐食することなく、各板を補強する効果を発揮する。ここで、補強材２０ａとして、廃材用の木材を用いれば、製造コストを抑えることができ、資源の再活用にもなる。
【００２７】
また、補強材２０ａは、加硫接着剤を用いて各板に固定することとしてもよいが、適当な大きさの貫通孔２０ｂを形成することによって、補強材２０ａを被覆するゴムが加硫時につながり、加硫接着剤を用いることなく、補強材２０ａを各板に固定することも可能となる。
さらに、補強材２０ａは、薄板状に限られず、補強材２０ａの全体が各板に埋設されるものであれば、例えば、鉄棒等の棒材や角材であってもよい。
【００２８】
このように構成された生物捕獲装置２は、製造段階においてコードスクラップ等を混練させなくても、優れた剛性を発揮するので、混練工程を省略し、製造作業の簡素化を実現することができる。
また、特殊な材料を用いなくても、容易に入手可能な木材や鉄板等を用いているので、製造コストの増加を抑えることもできる。
【００２９】
このように本実施の形態２に係る生物捕獲装置２によれば、生物捕獲装置２を構成する各板に薄板状の補強材を埋設することにより、生物捕獲装置２の強度を向上させているので、製造工程における煩雑な部分を省略することができ、また、製造コストの増加を抑制することができる。
【００３０】
（実施の形態３）
さらに、本発明の実施の形態３に係る生物捕獲装置について説明する。
本実施の形態３に係る生物捕獲装置は、複数のゴム製の板を組み合わせて構成され、装置を構成する各側板の辺または隅に切り欠き部が形成されている点で、上記実施の形態１および２に係る生物捕獲装置と共通するが、天板および底板の装置内側に傾斜が設けられている点で、上記実施の形態１および２に係る生物捕獲装置と異なる。以下、この異なる点を中心に説明する。
【００３１】
図８は、本実施の形態３に係る生物捕獲装置の分解斜視図である。
図８に示すように、この生物捕獲装置３は、上記実施の形態１および２と同様に、天板３０、底板３１および各側板（左側面板３２、右側面板３３、正面板３４および背面板３５）を組み合わせて、これらゴム製の各板をビスにより係止させることによって構成されるが、天板３０に、正面板３４から背面板３５に向けて傾斜するテーパー３０ａが設けられており、底板３１に背面板３５から正面板３４に向けて傾斜するテーパー３１ａが設けられている点で上記実施の形態１および２と異なる。
【００３２】
テーパー３０ａは、天板３０の内側面に、正面板３４から背面板３５に向けてつけられた傾斜であり、天板３０と一体となるようにゴム等の弾性材を加硫して成形される。
テーパー３１ａは、底板３１の内側面に、背面板３５から正面板３４に向けてつけられた傾斜であり、底板３１と一体となるようにゴム等の弾性材を加硫して成形される。
また、左側面板３２および右側面板３３には、テーパー３０ａおよび３１ａの傾斜を考慮して、天板３０および底板３１と接する辺に切り欠き部３９ｂが設けられる。
【００３３】
さらに、天板３０、底板３１、左側面板３２および右側面板３３の表裏面には、各板を固定するためのビスが螺嵌されるビス孔３６ａが設けられており、このビス孔３６ａは、ビスが螺嵌された際にビスの頭頂部が露出しないように座刳り加工が施されている。
そして、正面板３４、背面板３５、左側面板３２および右側面板３３の、天板３０または底板３１と接する辺には、ビスのねじ込みを誘導するガイド孔３６ｂが設けられており、このガイド孔３６ｂの径は、ビスが容易に抜け落ちないようにするため、ビスの径よりも小さくなっている。
【００３４】
なお、ここで、入口孔３８と、背面板３５の孔（紐孔３５ａおよび覗き孔）とによって、また、排水孔として機能する正面板３４の切り欠き部３９ａおよび背面板３５の切り欠き部３９ｃによって、生物捕獲装置３を長手方向に貫通する貫通孔が形成され、排水孔として機能する左側面板３２および右側面板３３の切り欠き部３９ａによって生物捕獲装置３を幅方向に貫通する貫通孔が形成されるが、これらビス孔３６ａおよびガイド孔３６ｂは、この貫通孔の貫通方向に対して直交する方向にビスをねじ込むことができるように、列状に複数個設けられる。
【００３５】
このように構成された生物捕獲装置３は、保管時に、縦積みであるか横積みであるかを問わず、積み重ねておくだけで、装置内部に設けられた傾斜によって、切り欠き部からの排水がなされるので、海中からの引き揚げ後に水抜き作業を行なう手間を省くことができる。
ここで、天板３０に設けられているテーパー３０ａおよび底板３１に設けられているテーパー３１ａは、長手方向に対称となるように設けてもよく、幅方向に傾斜するように設けたり、幅方向に対称となるように設けてもよい。以下、これらを変形例として、図を用いて説明する。
【００３６】
図９は、第１変形例に係る生物捕獲装置の斜視図およびＡ−Ａ線における断面図である。
図９に示すように、この生物捕獲装置４は、天板４０の内側面に、装置の長手方向中心を頂点として正面板４４方向および背面板４５方向にそれぞれ傾斜するテーパー４０ａと、底板４１の内側面に、同様に傾斜するテーパー４１ａを備える。
この場合、左側面板４２および右側面板４３の切り欠き部４９ｂは、排水効率を考慮して、正面板４４または背面板４５近傍の天板４０および底板４１と接する辺に設けるのが好ましい。
【００３７】
図１０は、第２変形例に係る生物捕獲装置の斜視図およびＢ−Ｂ線における断面図である。
図１０に示すように、この生物捕獲装置５は、天板５０の内側面に、左側面板５２から右側面板５３に向かって傾斜するテーパー５０ａを備え、底板５１の内側面に、右側面板５３から左側面板５２に向かって傾斜するテーパー５１ａを備える。
この場合、正面板５４および背面板５５の切り欠き部５９ａは、排水効率を考慮して、右側面板５３および天板５０と接する隅と、左側面板５２および底板５１と接する隅とに設けるのが好ましい。
また、左側面板５２の切り欠き部５９ｂは、底板５１と接する辺に設けるのが好ましく、右側面板５３の切り欠き部５９ｂは、天板５０と接する辺に設けるのが好ましい。
【００３８】
図１１は、第３変形例に係る生物捕獲装置の斜視図およびＣ−Ｃ線における断面図である。
図１１に示すように、この生物捕獲装置６は、天板６０の内側面に、装置の幅方向中心を頂点として左側面板６２方向および右側面板６３方向にそれぞれ傾斜するテーパー６０ａと、底板６１の内側面に、同様に傾斜するテーパー６１ａを備える。
【００３９】
この場合、排水効率を考慮すると、上記実施の形態１と同様に、正面板６４および背面板６５の切り欠き部６９ａは、四隅に設けるのが好ましく、左側面板６２および右側面板６３の切り欠き部６９ｂは、天板６０および底板６１と接する辺に設けるのが好ましい。
なお、この他にも、これらを組み合わせて、装置の中央から長手方向および幅方向に傾斜するテーパーを天板および底板の内側面に設けることとしてもよい。
【００４０】
このように本実施の形態３およびその変形例に係る生物捕獲装置によれば、天板および底板の内側面に排水孔として機能する切り欠き部に向かって傾斜するテーパーを設けることによって、排水効率をより向上させているので、水抜き作業をしなくても装置内部を清潔に保つことができる。
以上、本発明に係る生物捕獲装置について各実施の形態に基づき説明したが、本発明は、これらの実施の形態に限定されるものではない。
【００４１】
例えば、上記各実施の形態では、各板はそれぞれ独立した構成としているが、天板と左右いずれか一方の側面板とを連結し、底板と他方の側面板とを連結し、その連結部を折り曲げて生物捕獲装置を組み立てるように構成してもよい。
【産業上の利用可能性】
【００４２】
本発明に係る生物捕獲装置は、海中等に沈めて水生生物等を捕獲するための罠に適用することができ、特に、蛸を捕獲するための蛸箱として用いるのに好適である。
【図面の簡単な説明】
【００４３】
【図１】本発明の実施の形態１に係る生物捕獲装置の外観を示す斜視図である。
【図２】生物捕獲装置を背面側から見た平面図である。
【図３】背面板の変形例を示す平面図である。
【図４】側面板の平面図である。
【図５】本発明の実施の形態２に係る生物捕獲装置の外観を示す斜視図である。
【図６】生物捕獲装置の部分拡大図である。
【図７】補強材の斜視図である。
【図８】本発明の実施の形態３に係る生物捕獲装置の分解斜視図である。
【図９】第１変形例に係る生物捕獲装置の斜視図およびＡ−Ａ線における断面図である。
【図１０】第２変形例に係る生物捕獲装置の斜視図およびＢ−Ｂ線における断面図である。
【図１１】第３変形例に係る生物捕獲装置の斜視図およびＣ−Ｃ線における断面図である。
【図１２】従来における生物捕獲装置の外観を示す図である。
【符号の説明】
【００４４】
１、２、３、４、５、６、１００    生物捕獲装置
１０、２０、３０、４０、５０、６０、１０１    天板
１１、２１、３１、４１、５１、６１、１０２    底板
１２、２２、３２、４２、５２、６２、１０３    左側面板
１３、２３、３３、４３、５３、６３、１０４    右側面板
１４、２４、３４、４４、５４、６４、１０５    正面板
１５、１５ｃ、３５、４５、１０６    背面板
１５ａ、３５ａ、４５ａ、１０８    紐孔
１５ｂ、４５ｂ    覗き孔
１６、２６、４６、５６、６６、１０７    ビス
１６ａ、３６ａ    ビス孔
１７、２７、４７、１０９    ロープ
１８、２８、３８、４８、５８、６８、１１０    入口孔
１９ａ、１９ｂ、１９ｃ、２９ａ、２９ｂ、３９ａ、３９ｂ、３９ｃ、４９ａ、４９ｂ、４９ｃ、５９ａ、５９ｂ、６９ａ、６９ｂ    切り欠き部
２０ａ    補強材
２０ｂ    貫通孔
３０ａ、３１ａ、４０ａ、４１ａ、５０ａ、５１ａ、６０ａ、６１ａ    テーパー
３６ｂ    ガイド孔
１１１    水抜き孔
【図１】
2005124475.tif 000003
【図２】
2005124475.tif 000004
【図３】
2005124475.tif 000005
【図４】
2005124475.tif 000006
【図５】
2005124475.tif 000007
【図６】
2005124475.tif 000008
【図７】
2005124475.tif 000009
【図８】
2005124475.tif 000010
【図９】
2005124475.tif 000011
【図１０】
2005124475.tif 000012
【図１１】
2005124475.tif 000013
【図１２】
2005124475.tif 000014